(57)【要約】【課題】弁棒と、弁棒受入部との嵌合精度の高い気密性を有した三方弁を提供すること。【解決手段】室内機と冷媒配管で接続する室内配管側ポート１２と、室外配管側ポート１３と、バルブコアが配設されているサービスポート１４と、室内配管側ポート１２と室外配管側ポート１３とを連通または閉止する弁棒１５と、Ｏリング２１および弁棒１５が配設されている弁棒受入部１６とを備え、弁棒受入部１６を樹脂コーティングした空気調和機の三方弁を提供する。【選択図】図２
2007139210.tif 000002
【特許請求の範囲】
【請求項１】
室内機と冷媒配管で接続する室内機接続部と、室外機と冷媒配管で接続する室外機接続部と、バルブコアが配設されているサービスポート部と、前記室内機接続部と前記室外機接続部とを連通または閉止する弁棒と、Ｏリングおよび前記弁棒が配設されている弁棒受入部とを備え、前記弁棒受入部を樹脂コーティングしたことを特徴とする空気調和機の三方弁。
【発明の詳細な説明】
【技術分野】
【０００１】
本発明は、主に冷凍機・空気調和機の冷媒配管系に介装する三方弁に関するものである。
【背景技術】
【０００２】
従来、空気調和機は、室内機と室外機において、冷媒配管で各機器を接続した冷媒回路を有している。そして係る空気調和機の冷媒回路は、設置時においてエアパージおよび冷媒封入するためのサービスポートを有する三方弁を備えている。室外機と室内機を冷媒配管で接続後、三方弁の弁キャップを外し、弁棒を開閉することで、室外機と室内機との間の冷媒回路の連通または閉止を行う
図３は従来の空気調和機の三方弁の構成図である。図３において、従来の空気調和機の三方弁１００は、室内機と接続される室内機側ポート１０１と、室外機内の配管と接続されている室外機側ポート１０２と、バルブコア１０３が配設されているエアパージなどを行うためのサービスポート１０４と、弁棒１０５が配設されている弁棒ポート１０６で構成されており、設置などのサービス時には弁棒１０５を開閉することで、室内機側の冷媒回路と室内機側の冷媒回路を連通または閉止を行う。そして弁棒ポート１０６には、冷媒漏れを防止するためのＯリング１０７が複数設けられている（例えば、特許文献１参照）。
【特許文献１】特開平８−２９７０６７号公報
【発明の開示】
【発明が解決しようとする課題】
【０００３】
しかしながら、上記従来の構成では、弁棒ポートにＯリングを複数取りつけため、三方弁本体寸法が大きくなり、室外機の配管カバーサイズが大きくなるという課題を有していた。
【０００４】
また、三方弁は真鍮材でできており、室外機の冷媒回路を構成する部品と、冷媒配管とは、ロウ付けする際フラックス剤を使用して行う為、ロウ付け後、酸処理を行う必要がある。そのため酸処理により三方弁内面加工精度が悪くなり、弁棒に取りつけられた複数のＯリングと、三方弁本体との間に、僅かな隙間が発生し冷媒漏れを発生させる課題を有していた。
【０００５】
本発明は、前記従来の課題を解決するもので、弁棒と、弁棒受入部との嵌合精度の高い気密性を有した三方弁を提供することを目的とする。
【課題を解決するための手段】
【０００６】
前記従来の課題を解決するために、本発明の空気調和機の三方弁は、室内機と冷媒配管で接続する室内機接続部と、室外機と冷媒配管で接続する室外機接続部と、バルブコアが配設されているサービスポート部と、前記室内機接続部と前記室外機接続部とを連通または閉止する弁棒と、Ｏリングおよび前記弁棒が配設されている弁棒受入部とを備え、前記弁棒受入部を樹脂コーティングしたことを特徴とするものである。
【０００７】
これによって、フラックス除去のための酸処理によって三方弁本体の面粗さが悪くなっても、弁棒受入部と弁棒との嵌合精度が向上するので、弁棒と弁棒受入部の隙間からの冷媒漏れを防止することができ、Ｏリングを複数設ける必要がないので、三方弁の小型化、コストダウンをすることができる。
【発明の効果】
【０００８】
本発明は、弁棒と、弁棒受入部との嵌合精度の高い気密性を有した三方弁を提供することができる。
【発明を実施するための最良の形態】
【０００９】
第１の発明は、室内機と冷媒配管で接続する室内機接続部と、室外機と冷媒配管で接続する室外機接続部と、バルブコアが配設されているサービスポート部と、前記室内機接続部と前記室外機接続部とを連通または閉止する弁棒と、Ｏリングおよび前記弁棒が配設されている弁棒受入部とを備え、前記弁棒受入部を樹脂コーティングしたことを特徴とするものであり、弁棒受入部と弁棒との嵌合精度が向上するので、弁棒と弁棒受入部の隙間からの冷媒漏れを防止することができ、Ｏリングを複数設ける必要がない。
【００１０】
以下、本発明の実施の形態について、図面を参照しながら説明する。なお、この実施の形態によって本発明が限定されるものではない。
【００１１】
（実施の形態１）
図１は、本実施の形態における空気調和機の冷媒回路の構成図である。図１において、室外機１の圧縮機２より吐出した冷媒が四方弁３より室外機熱交換器４に流れ凝縮され、膨張弁５を流れてガス側三方弁６より冷媒配管７にて室内熱交換器８に流れ室内熱交換器８で蒸発した冷媒が冷媒配管９を経て液側三方弁１０から四方弁３より圧縮機２に戻るサイクルである。
【００１２】
図２は、本実施の形態における空気調和機の三方弁の構成図である。図２において、三方弁１０の構成と動作について説明する。本体１１には、その四方に室内機接続部である室内配管側ポート１２と、室外機接続部である室外配管側ポート１３と、サービスポート１４と、弁棒１５が装着されている弁棒受入部１６とを有する。室内配管側ポート１２には、室内熱交換器８に接続された冷媒配管９がフレアナット１７を介して接続され、室外配管側ポート１３には、銅管１８がフラックス剤を用いてロウ付け接続され、同様室外熱交換器４側の配管に接続されるようになっている。サービスポート１４にはバルブコア１９が挿入されておりサービスポートキャップ１９が取りつけられている。通常は密封されているが、空気調和機の設置時には、サービスポートキャップ１９を取り外し、このサービスポート１４から真空引きを行う。
【００１３】
また、弁棒１５は、雄ネジ部１５ａと、六角レンチ挿入孔１５ｂと、Ｏリングを介装する溝部１５ｃとを備え、雄ネジ部１５ａは、樹脂コーティングとして約６ミクロンの薄膜処理が施されている。また溝部１５ｃにはＯリング２１が介装されている。弁棒受入部１６は真鍮材で構成され、ネジ部１５ａが螺着される雌ネジ部１６ａと、カシメ筒部１６ｂが設けられており、雌ネジ部１６ａは、樹脂コーティングとして約６ミクロンの薄膜処理が施されている。また弁棒受入部１６には弁棒キャップ２２が配設されている。なお、本実施の形態では、約６ミクロンの薄膜処理をしているが、６ミクロンに限定するものではなく、樹脂コーティングをしていれば、薄膜処理の厚さは関係ない。
【００１４】
以上のように構成された空気調和機の三方弁について、以下その動作、作用を説明する。
【００１５】
まず、空気調和機を設置する時には、室内配管側ポート１２と室内機を冷媒配管で互いに接続する。また、室外機の生産段階で室外配管側ポート１３と室外機１内の冷媒回路を構成する機器とは冷媒配管で接続されているので、空気調和機の設置時には室外配管側ポート１３と室外機１内の機器とは冷媒配管で接続する作業は不要である。
【００１６】
次に、室外機１側の冷凍サイクルにはすでに冷媒が充填されているが、室内機側の冷凍サイクルには空気があるため、空気を真空引きする必要がある。そこで、真空引きをする際には、サービスポートキャップ１９を取り外し、真空ポンプなど真空状態にできる機器をサービスポート１４に接続して、室外機１側の冷凍サイクル内にある空気を真空引きする。
【００１７】
真空引きが終わると、真空ポンプを取り外し、弁棒１５を開いて室内機側の冷凍サイクルと室外機１側の冷凍サイクルとを導通させ、サービスポートキャップ１９を締める。溝部１５ｃにはＯリング２１が介装されているが、本実施の形態では、雄ネジ部１５ａと雌ネジ部１６ａとに樹脂コーティングされているため、Ｏリングを複数設ける必要は無く、冷媒漏れを防止することができる。そのため、弁棒１５にはＯリングを一つ分だけ配設する溝部１５ｃを設けるだけでよく、弁棒の大型化を防止することができる。
【００１８】
以上のように、本実施の形態の空気調和機の三方弁において、室内機と冷媒配管で接続する室内配管側ポート１２と、室外配管側ポート１３と、バルブコアが配設されているサービスポート１４と、室内配管側ポート１２と室外配管側ポート１３とを連通または閉止する弁棒１５と、Ｏリング２１および弁棒１５が配設されている弁棒受入部１６とを備え、弁棒受入部１６を樹脂コーティングしたことで、フラックス剤を介したロウ付けを行った後の酸処理の影響による寸法変化をしないので、設計通りの寸法のまま、雄ネジ部１５ａと雌ネジ部１６ａが螺着されるので、冷媒漏れを防止することができる。
【産業上の利用可能性】
【００１９】
以上のように、本発明にかかる空気調和機の三方弁は、大型化を図ることなく冷媒漏れを防止することができるので、空気調和機のほか冷凍サイクルを有し、真空引きを要する装置に適用することができる。
【図面の簡単な説明】
【００２０】
【図１】本発明の実施の形態１における空気調和機の冷媒回路の構成図
【図２】同空気調和機の三方弁の構成図
【図３】従来の空気調和機の三方弁の構成図
【符号の説明】
【００２１】
１  室外機
２  圧縮機
３  四方弁
４  室外機熱交換器
５  膨張弁
６  ガス側三方弁
７  冷媒配管
８  室内機熱交換器
９  冷媒配管
１０  三方弁
１１  本体
１２  室内配管側ポート
１３  室外配管側ポート
１４  サービスポート
１５  弁棒
１５ａ  雄ネジ部
１５ｂ  六角レンチ挿入孔
１５ｃ  溝部
１６  弁棒受入部
１６ａ  雌ネジ部
１６ｂ  カシメ筒部
１７  フレアナット
１８  銅管
１９  バルブコア
２０  サービスポートキャップ
２１  Ｏリング
２２  弁棒キャップ
【図１】
2007139210.tif 000003
【図２】
2007139210.tif 000004
【図３】
2007139210.tif 000005